(57)【要約】【課題】排出ロールによる記録媒体の排出性能を向上する。【解決手段】排出ロール１００では、駆動ロール１０２に設けられた２個のロール部１１２と従動ロール１０４に設けられた３個のロール部１１４とが、互いに非接触で軸方向へ交互に配列されており、カット記録紙３４´が自身のコシでロール部１１２とロール部１１４とに狭持される。駆動ロール１０２のロール部１１２より軸方向の外側には、ロール部１１２よりも小径且つ軸方向の断面形状が鋸歯状のロール部１１８が設けられており、ロール部１１２とロール部１１４との狭持から開放されたカット記録紙３４´の幅方向中央部がロール部１１２から浮上った場合でも、ロール部１１８の段差部からカット記録紙３４´の幅方向両端部の後端縁部に搬送力が与えられる。【選択図】図４
2007126265.tif 000002
【特許請求の範囲】
【請求項１】
軸方向の断面形状が凸凹の複数の第１ロール部が間隔を空けて軸方向へ配列された駆動ロールと、
複数の第２ロール部が間隔を空けて軸方向へ配列された従動ロールと、で構成され、
互いに非接触で軸方向へ交互に配列された前記第１ロール部と前記第２ロール部とで記録媒体を狭持して画像記録装置から排出する記録媒体排出ロールであって、
前記駆動ロールの前記第１ロール部より軸方向の外側に、軸方向の断面形状が凸凹で、前記第１ロール部よりも小径の第３ロール部を設けたことを特徴とする記録媒体排出ロール。
【請求項２】
前記第１ロール部の軸方向の断面形状の凸凹を、前記第１ロール部の表面に軸方向へ延びる溝で形成したことを特徴とする請求項１に記載の記録媒体排出ロール。
【請求項３】
前記第３ロール部の軸方向の断面形状の凸凹を、前記第３ロール部の表面に軸方向へ延びる段差部で形成したことを特徴とする請求項１に記載の記録媒体排出ロール。
【請求項４】
前記第３ロール部の軸方向の断面形状を鋸歯状としたことを特徴とする請求項３に記載の記録媒体排出ロール。
【請求項５】
記録媒体が、感光材料であり、記録面を前記駆動ロール側に向けて搬送されることを特徴とする請求項１乃至４の何れか１項に記載の記録媒体排出ロール。
【発明の詳細な説明】
【技術分野】
【０００１】
本発明は、軸方向の断面形状が凸凹の複数の第１ロール部が間隔を空けて軸方向へ配列された駆動ロールと、複数の第２ロール部が間隔を空けて軸方向へ配列された従動ロールと、で構成され、互いに非接触で軸方向へ交互に配列された第１ロール部と第２ロール部とで記録媒体を狭持して画像記録装置から排出する記録媒体排出ロールに関する。
【背景技術】
【０００２】
プリンタプロセッサでは、感光性記録紙が、マガジンから巻き出されて発色現像・漂白定着・安定化・乾燥等の各処理を施され、その後、所定のサイズにカットされて排出ロールによってトレイ上に排出される。ここで、排出ロールとしては、駆動ロールと従動ロールの軸方向中央部にそれぞれ、複数のロール部が軸方向へ間隔を空けて並べて設けられ、且つ、駆動ロールのロール部と従動ロールのロール部とが互いに非接触で軸方向へ交互に配列され、感光性記録紙が自身のコシで駆動ロールのロール部と従動ロールのロール部とに狭持されるものが考案されている。
【０００３】
ところで、排出ロールの搬送力が不十分の場合、駆動ロールのロール部と従動ロールのロール部とによる感光性記録紙の狭持が解除された後、感光性記録紙の後端部がトレイまで押し出されずに排出ロールの周辺に停止する。これによって、トレイ上での感光性記録紙の集積状態が乱れ、また、後続の感光性記録紙の排出が妨げられる。
【０００４】
このため、駆動ロールのロール部の表面に軸方向へ延びる溝を形成し、この溝から感光性記録紙の後端縁部に搬送力を作用させることで、感光性記録紙の排出性を高めている（例えば、特許文献１参照）。
【０００５】
しかしながら、上述した構成の排出ロールによって、感光性記録紙を記録面（乳剤面）を下向きにしてトレイへ排出する場合、高温低湿度下では、駆動ロールのロール部と従動ロールのロール部とによる狭持から開放された感光性記録紙が、幅方向中央部が浮上る形状に湾曲し、幅方向中央部を駆動ロールのロール部から浮上らせる。このため、駆動ロールのロール部の溝から感光体記録紙の後端縁部に搬送力を作用させることができず、感光性記録紙の排出性を高めることができないという問題があった。
【特許文献１】特開平１１−３４９１９８号公報
【発明の開示】
【発明が解決しようとする課題】
【０００６】
本発明は上記事実を考慮してなされたものであり、軸方向の断面形状が凸凹の複数の第１ロール部が間隔を空けて軸方向へ配列された駆動ロールと、複数の第２ロール部が間隔を空けて軸方向へ配列された従動ロールと、で構成され、互いに非接触で軸方向へ交互に配列された第１ロール部と第２ロール部とで記録媒体を狭持して画像記録装置から排出する記録媒体排出ロールにおいて、湾曲した記録媒体に対する排出性を向上させることを防止する。
【課題を解決するための手段】
【０００７】
請求項１に記載の記録媒体排出ロールは、軸方向の断面形状が凸凹の複数の第１ロール部が間隔を空けて軸方向へ配列された駆動ロールと、軸方向の断面形状が凸凹の複数の第２ロール部が間隔を空けて軸方向へ配列された従動ロールと、で構成され、互いに非接触で軸方向へ交互に配列された前記第１ロール部と前記第２ロール部とで記録媒体を狭持して画像記録装置から排出する記録媒体排出ロールであって、前記駆動ロールの前記第１ロール部より軸方向の外側に、軸方向の断面形状が凸凹で、前記第１ロール部よりも小径の第３ロール部を設けたことを特徴とする。
【０００８】
請求項１に記載の記録媒体排出ロールでは、駆動ロールに設けられた複数の第１ロール部と従動ロールに設けられた複数の第２ロール部とがそれぞれ、間隔を空けて駆動ロール及び従動ロールの軸方向へ配列され、また、第１ロール部と第２ロール部とは、互いに非接触で駆動ロール及び従動ロールの軸方向へ交互に配列されており、記録媒体が、自身のコシで第１ロール部と第２ロール部とに狭持されて、画像記録装置から排出される。このように、記録媒体にコシを与えることで、記録媒体を記録媒体排出ロールからより遠くまで排出でき、排出済みの記録媒体の上に重ねて集積できるので、排出される記録媒体が排出済みの記録媒体を押し出したり、排出される記録媒体が排出済みの記録媒体に引っ掛って裏返る等の集積不良を防止できる。
【０００９】
ここで、第１ロール部の軸方向の断面形状が凸凹とされている。このため、第１ロール部と第２ロール部とによる記録媒体の狭持が解除された後、記録媒体が第１ロール部から浮上りさえしなければ、第１ロール部の表面に形成された凹部から記録媒体の後端縁部へ搬送力が与えられる。
【００１０】
ところで、記録媒体が、幅方向中央部が第１ロール部から浮上る形状に湾曲して記録媒体排出ロールへ送られてきた場合、第１ロール部と第２ロール部とによる記録媒体の狭持が解除された後、記録媒体の幅方向中央部は第１ロール部から浮上り、記録媒体の幅方向両端部は駆動ロールの第１ロール部より軸方向の外側へ垂れ下がる。ここで、駆動ロールの第１ロール部より軸方向の外側には、第１ロール部よりも小径で軸方向の断面形状が凸凹の第３ロール部が設けられており、この第３ロール部の表面に形成された凹部が、湾曲して垂れ下がった記録媒体の幅方向両端部の後端縁部に当接して搬送力を与える。
【００１１】
これによって、記録媒体が湾曲して第１ロール部から浮上った場合でも、記録媒体の後端縁部に搬送力を与えることができ、記録媒体を画像記録装置から排出させることができる。
【００１２】
また、幅方向中央部が第１ロール部から浮上る形状に湾曲した記録媒体は、第１ロール部と第２ロール部とによる狭持を解除された後、湾曲状態に復元する際の弾性力で第１ロール部から跳ね上がろうとするが、第３ロール部を第１ロール部よりも小径としたことで第１ロール部と第２ロール部とにより狭持された記録媒体の状態が元の湾曲状態により近くなるので、抑制できる。これによって、記録媒体を安定して搬送できる。
【００１３】
請求項２に記載の記録媒体搬送ロールは、請求項１に記載の記録媒体搬送ロールであって、前記第１ロール部の軸方向の断面形状の凸凹を、前記第１ロール部の表面に軸方向へ延びる溝で形成したことを特徴とする。
【００１４】
請求項２に記載の記録媒体排出ロールでは、第１ロール部の表面に軸方向へ延びる溝が形成されることで、第１ロール部の軸方向の断面形状が凸凹になっており、第１ロール部と第２ロール部とによる狭持から開放された記録媒体が、第１ロール部から浮上りさえしなければ、該記録媒体の後端縁部に、第１ロール部の表面の溝から搬送力が与えられる。
【００１５】
ここで、第１ロール部の表面の凸部を円弧状としたことで、記録媒体を狭持している際、第１ロール部と記録媒体とが常時、面接触するので、記録媒体に与えられるダメージを抑制できる。
【００１６】
請求項３に記載の記録媒体排出ロールは、請求項１に記載の記録媒体排出ロールであって、前記第３ロール部の軸方向の断面形状の凸凹を、前記第３ロール部の表面に軸方向へ延びる段差部で形成したことを特徴とする。
【００１７】
請求項３に記載の記録媒体排出ロールでは、第３ロール部の表面に軸方向へ延びる段差部が形成されることで、第３ロール部の軸方向の断面形状が凸凹になっており、第１ロール部と第２ロール部とによる狭持から開放された記録媒体が湾曲して第１ロール部から浮上った場合には、記録媒体の後端縁部に、第３ロール部の表面の段差部から搬送力が与えられる。
【００１８】
請求項４に記載の記録媒体排出ロールは、請求項３に記載の記録媒体排出ロールであって、前記第３ロール部の軸方向の断面形状を鋸歯状としたことを特徴とする。
【００１９】
請求項４に記載の記録媒体排出ロールでは、第３ロール部の軸方向の断面形状が鋸歯状になっており、第１ロール部と第２ロール部とによる狭持から開放された記録媒体が湾曲して第１ロール部から浮上った場合には、記録媒体の後端縁部に、第３ロール部の鋸歯状の表面の段差部から搬送力が与えられる。
【００２０】
ここで、第３ロール部を第１ロール部よりも小径としたことで、第３ロール部の周速が第１ロール部の周速よりも遅くなるので、記録媒体の後端縁部が段差部に嵌り込む際、記録媒体の後端部に局所的な曲げが生じ易いが、段差部にテーパを付けることで抑制している。
【００２１】
請求項５に記載の記録媒体排出ロールは、請求項１乃至４の何れか１項に記載の記録媒体排出ロールであって、記録媒体が、感光材料であり、記録面を前記駆動ロール側に向けて搬送されることを特徴とする。
【００２２】
請求項５に記載の記録媒体排出ロールでは、感光材料が記録面を駆動ロール側に向けて搬送されるので、高温低湿下では、第１ロール部と第２ロール部との狭持から開放された感光材料が、幅方向中央部が第１ロール部から浮上る形状に湾曲する。しかし、本発明の記録媒体排出ロールでは、駆動ロールの第１ロール部より軸方向の外側へ垂れ下がった感光材料の幅方向両端部の後端縁部に、第３ロール部の表面の凹部から搬送力が与えられる。従って、湾曲した状態で搬送される記録媒体を、画像記録装置から確実に排出できる。
【発明の効果】
【００２３】
本発明は上記構成にしたので、軸方向の断面形状が凸凹の複数の第１ロール部が間隔を空けて軸方向へ配列された駆動ロールと、複数の第２ロール部が間隔を空けて軸方向へ配列された従動ロールと、で構成され、互いに非接触で軸方向へ交互に配列された第１ロール部と第２ロール部とで記録媒体を狭持して画像記録装置から排出する記録媒体排出ロールにおいて、湾曲した記録媒体に対する排出性を向上できる。
【発明を実施するための最良の形態】
【００２４】
以下に図面を参照しながら本発明の実施形態について説明する。
【００２５】
図１に示すように、本発明のソータ５０を搭載したプリンタプロセッサ１０は、画像入力装置１２、画像処理装置１３、プリンタ１５、プロセッサ１６及びソータ５０を備えている。プリンタプロセッサ１０を構成する各部は、図示しない配線を介して制御部１７に接続されており、この制御部１７によってプリンタプロセッサ１０全体の動作が制御される。
【００２６】
画像入力装置１２は、写真フィルムに記録された画像の投影光をＣＣＤイメージセンサなどの撮像素子を用いて光電的に読み取ることで画像データを生成し、あるいはメモリカードなどの記録媒体に記録された画像データを読み出すことで、画像データを取得する。この画像データは画像処理装置１３に送られ、カラーバランス補正や濃度補正などの画像処理が行われる。画像処理が行われた画像データはプリンタ１５に送られ、後述する画像記録時に用いられる。
【００２７】
プリンタ１５は、所定長にカットされたカット記録紙を搬送しながら、画像データに基づいて強度変調された記録光にて画像記録を行うものであり、搬送方向の上流側から、供給部２０、裏印字部２２、レジスト部２４、画像記録部２６、副走査受け部２８、及び搬出部３２を備える。各部位には、駆動ローラとニップローラとから構成される搬送ローラ対が、カット記録紙の搬送路に沿って複数設けられている。
【００２８】
供給部２０には、ロール状に巻かれた長尺の感光性記録紙３４を収納するマガジン２０Ａ、２０Ｂがセットされる。各マガジン２０Ａ、２０Ｂには、感光性記録紙３４を引き出して裏印字部２２に向けて搬送するための引出ローラ対２１Ａ、２１Ｂが設けられている。本実施例では２つのマガジン２０Ａ、２０Ｂが設けられているが、マガジンは１個でもよいし、３個以上でもよい。また、このマガジン２０Ａ、２０Ｂに収納される感光性記録紙３４には、図２に示すように、製造工程上のロスを無くすために、帯状記録紙の端部同士を接合した接合部８０が設けられている。そして、接合部８０には、接合部であることを示すスプライスホール８１が設けられている。このスプライスホールの幅Ｌ１は、例えば、２０ｍｍとされている。
【００２９】
マガジン２０Ａ、２０Ｂの出口にはそれぞれ、感光性記録紙３４を切断するためのカッタ３６Ａ、３６Ｂが備えられている。カッタ３６Ａ、３６Ｂは、制御部１７からの制御信号を受けて駆動し、プリントサイズに合わせて所定長だけ送り出された感光性記録紙３４を切断してカット記録紙を形成する。プリントサイズとしては、例えば、Ｌ（８９Ｘ１２７）、パノラマ（８９Ｘ２５４）、２Ｌ（１２７×１７８）、８切り（１６５×２１６）、６切り（２０３×２５４）、４切り（２５４×３０５）などがあり、本実施例は、例えば、搬送方向と直交する方向の幅が８９、９５、  １０２、  １１７、  １２０、  １２７、  １３０、  １５２、１６５、１７８、２０３、２１０、２１６、２５４、３０５のカット記録紙に対応する。なお、単位は何れもｍｍである。また、カッタ３６Ａ、３６Ｂの上流にはそれぞれ、感光性記録紙３４に設けられたスプライスホール８１を検出して制御部１７に信号を出力するスプライスセンサ３７Ａ、３７Ｂが設けられており、このスプライスセンサ３７Ａ、３７Ｂがスプライスホール８１を検出すると、制御部１７は接合部８０が通過する所定の長さの感光性記録紙３４を送り出した後にカッタ３６Ａ、３６Ｂを駆動する。このようにして形成された接合部８０を含むカット記録紙は、裏印字や画像記録が行われずに、そのままソータ５０に排出される。なお、本実施形態においては、ギロチン型のカッタとしているが、これに限らず回転刃を用いたロータリカッタなど、公知の手段を用いてもよい。
【００３０】
裏印字部２２は、写真の撮影日、プリント日、コマ番号、各種ＩＤなどのプリント情報を、カット記録紙の非記録面（露光面と反対側の面）に記録する裏印字ヘッド３８を備える。裏印字ヘッド３８としては、後に行われる湿式の現像処理に耐性のあるものであればドットインパクトヘッド、インクジェットヘッド、熱転写プリントヘッドなどの公知のプリントヘッドを用いることもできる。
【００３１】
レジスト部２４は、画像記録部２６における露光位置・角度ズレを防止するために、カット記録紙の傾き及び幅方向の位置を調整するレジスト用ローラ対４０と、このレジスト用ローラ対４０の前後に配置される複数の搬送ローラ対から構成される。レジスト用ローラ対４０による傾き及び幅方向位置を調整する方法は、チルトレジスト、トップレジスト、及びサイドレジストなどの公知の方法を用いることができる。
【００３２】
画像記録部２６は、露光ユニット４２、副走査ロ―ラ対４４、４６と、カット記録紙の通過を検出する記録紙センサ４５、４７とから構成され、制御部１７によって動作制御される。露光ユニット４２は、画像処理装置１３と接続されており、カット記録紙の先端が通過したことを記録紙センサ４５が検出すると、画像データに基づいて強度変調された赤、緑、青の光ビームＬＢを主走査方向（搬送方向と直交する方向）に走査して、カット記録紙に画像を記録する。副走査ローラ対４４、４６は、光ビームＬＢによる露光位置を挟むように搬送方向の上流側及び下流側に配置され、カット記録紙を所定の速度で副走査方向（搬送方向と平行な方向）に搬送する。なお、副走査ロ―ラ対４４、４６のニップローラは、カット記録紙を挟持する位置とカット記録紙から離れる位置との間で切り替え可能とされており、記録紙センサ４７でカット記録紙の先端または後端を検出したときに切り替えられる。これにより、カット記録紙の先端が下流側の副走査ローラ対４６に突き当たったり、後端が上流側の副走査ロ―ラ対４４から抜け出ることで、カット記録紙に過度の衝撃が加わることを防止する。
【００３３】
副走査受け部２８は、画像記録中に画像記録部２６から送り出されるカット記録紙の先端部を保持する複数のローラ対を備えており、画像記録部２６による搬送速度と同一の速度にてカット記録紙を下流側に送り出す。副走査受け部２８の各ローラ対は、駆動ローラと、ニップ解除可能なニップローラとからなり、画像記録中のカット記録紙の先端が通過した後にカット記録紙を挟持する。これにより、カット記録紙の先端が突き当たって搬送速度が変動することを防止する。
【００３４】
搬出部３２は、副走査受け部２８から送られるカット記録紙を、プロセッサ１６の処理速度に対応する速度にて搬送し、プロセッサ１６へ送る。
【００３５】
プロセッサ１６は、現像処理部６０、スクイズ部６１、乾燥処理部６２及び搬出部６３から構成される。現像処理部６０には、搬送方向の上流側から順に、発色現像槽７０、漂白定着槽７１と、第１安定槽７３、第２安定槽７４、第３安定槽７５からなる安定槽７２とが設けられている。発色現像槽７０には発色現像液が、漂白定着槽７１には漂白定着液が、また、第１安定槽７３〜第３安定槽７５には安定処理液が、それぞれ所定量貯蔵されており、カット記録紙が、発色現像槽７０、漂白定着槽７１、および第１安定槽７３〜第３安定槽７５にそれぞれ設けられた搬送ラック５２、５４、５６、５８の駆動力を受けて各処理槽７０〜７２内で搬送されることで、発色現像・漂白定着・安定化の各処理が行われる。
【００３６】
スクイズ部６１は第３安定槽７５の上方に配設されており、ブレードと送風ダクトと搬送ロールとから構成されている。ブレードは搬送ロールによって搬送されるカット記録紙の両面に当接してカット記録紙から処理液を掻き落し、送風ダクトは搬送ロールによって搬送されるカット記録紙に向けてエアーを吹き出して、カット記録紙から処理液を吹き飛ばす。
【００３７】
乾燥処理部６２はスクイズ部６１の上方に配置されており、搬送ベルトと送風ダクトとから構成されている。送風ダクトは搬送ベルトに向けてヒータで熱せられた乾燥風を吹き出して、カット記録紙を搬送ベルト側に押し付ける。この状態で送風ダクトの前を通過させることで、カット記録紙に付着した処理液が完全に除去される。そして、乾燥処理部６２を通過したカット記録紙は、搬出部６３によってソータ５０へ送られる。
【００３８】
図３に示すように、ソータ５０では、複数のトレイ１４６が、プロセッサ１６の出口１４８から斜め下方へ下降し、そして最下位から斜め上方へ上昇する周回路において周回される。このソータ５０では、トレイ１４６が出口１４８から斜め下方へ下降される間、トレイ１４６がハウジング１６０外に露出し、この間にトレイ１４６上からカット記録紙を取り出すことができるようになっている。
【００３９】
ここで、プロセッサ１６の出口１４８からソータ５０のトレイ１４６上へカット記録紙を排出する排出ロール１００について説明する。
【００４０】
図４に示すように、排出ロール１００は、駆動ロール１０２と従動ロール１０４とで構成されている。駆動ロール１０２は、カット記録紙の搬送経路の下側に配設され、従動ロール１０４は、カット記録紙の搬送経路の上側に配設されている。また、駆動ロール１０２の回転軸１０２Ａ、従動ロール１０４の回転軸１０４Ａは、軸受（図示省略）を介してフレーム（図示省略）に回転可能に支持されている。駆動ロール１０２の軸方向一端部には、図示しないモータの駆動を伝達するギア列に含まれるギア１１０が取付けられており、該モータの駆動で駆動ロール１０２が回転駆動される。
【００４１】
駆動ロール１０２の回転軸１０２Ａの軸方向中央部には、２個の円筒状のロール部１１２が設けられている。この２個のロール部１１２は同一部品で、間隔を空けて駆動ロール１２０の軸方向へ並べられている。また、従動ロール１０４の回転軸１０４Ａの軸方向中央部には、３個のロール部１１４が設けられている。この３個のロール部１１４は、回転軸１０４Ａに取付けられた円柱状の部材１１５の軸方向両端部及び中央部の３箇所に形成された凸部であり、間隔を空けて軸方向へ並べられている。
【００４２】
ここで、駆動ロール１０２のロール部１１２は、従動ロール１０４の隣接した一対のロール部１１４の間に配設され、即ち、ロール部１１２とロール部１１４とは軸方向へ交互に配列されており、互いに非接触となっている。また、ロール部１１２とロール部１１４は、軸方向に重なっている。
【００４３】
このため、図５に示すように、カット記録紙３４´は、駆動ロール１０２と従動ロール１０４との間へ突入すると、自身のコシにより、幅方向（排出方向と直交する方向）の中央部をロール部１１２とロール部１１４とによって狭持される。これによって、駆動ロール１０２の駆動力がカット記録紙３４´を介して従動ロール１０４に伝達されて従動ロール１０４が従動回転し、カット記録紙３４´が、駆動ロール１０２と従動ロール１０４によって狭持搬送される。このように、カット記録紙３４´にコシを与えることで、カット記録紙３４´を排出ロール１００からより遠くまで排出でき、排出済みのカット記録紙３４´の上に重ねて集積できるので、排出されるカット記録紙３４´が排出済みのカット記録紙３４´を押し出したり、排出されるカット記録紙３４´が排出済みのカット記録紙３４´に引っ掛って裏返る等の集積不良を防止できる。
【００４４】
ここで、駆動ロール１０２のロール部１１２の周面には、軸方向へ延びる複数本の溝１１２Ａが、所定間隔毎に形成されている。また、一方のロール部１１２の溝１１２Ａと他方のロール部１１２の溝１１２Ａとは、同一直線上に揃えられている。このため、図６に示すように、ロール部１１２とロール部１１４とによるカット記録紙３４´の幅方向中央部の狭持が解除された直後、カット記録紙３４の幅方向中央部の後端縁部が両側のロール部１１２の溝１１２Ａに嵌り込む。これによって、駆動ロール１０２からカット記録紙３４´の幅方向中央部の後端部に作用する力が、溝１１２Ａが無い場合と比較して大きくなるので、カット記録紙３４´の排出性が向上する。
【００４５】
また、図４、図５に示すように、従動ロール１０４のロール部１１４の軸方向両端部は面取りによってＲ形状にされており、カット記録紙３４´の記録面（乳剤面）に押し痕が付かないようになっている。
【００４６】
また、ロール部１１２の表面の凸部を円弧状としたことで、カット記録紙３４´を狭持している際、ロール部１１２とカット記録紙３４´とが面接触するので、カット記録紙３４´に与えられるダメージを抑制できる。
【００４７】
また、駆動ロール１０２の２個のロール部１１２の下側と出口１４８の下部との隙間を塞ぐガイド部材１１６が、出口１４８の下部に取付けられており、カット記録紙３４´の幅方向中央部の後端が、駆動ロール１０２の下側と出口１４８の下部との間に巻き込まれることが防止されている。
【００４８】
ところで、図７に示すように、乾燥処理部６２（図１参照）において乾燥されたカット記録紙３４´は、記録面を下向きにして排出ロール１００へ送られてくる。この際、高温低湿下では、カット記録紙３４´の乳剤面の凝集が急速に進行するので、図示するように、カット記録紙３４は幅方向の中央部が浮上る形状に湾曲した状態で排出ロール１００へ送られてくる。なお、カット記録紙３４´が幅方向に湾曲するのは、カット記録紙３４´に対して搬送方向へのテンションが作用しているためと推測される。
【００４９】
このため、図８に示すように、カット記録紙３４´の幅方向のサイズが大きい場合、駆動ロール１０２と従動ロール１０４とによるカット記録紙３４´の狭持が解除された後、カット記録紙３４´の幅方向中央部がロール部１１２から浮上る。従って、駆動ロール１０２の搬送力がカット記録紙３４´の後端縁部に作用しなくなるので、カット記録紙３４´は停止しようとしたり、湾曲が大きい場合には従動ロール１０４に乗り上げたりする。
【００５０】
そこで、排出ロール１００では、駆動ロール１０２の一対のロール部１１２より軸方向の外側に、カット記録紙３４´の幅方向の両端部に当接するロール部１１８を計４個設け、このロール部１１８によってカット記録紙３４´の後端縁部に搬送力を作用させている。
【００５１】
４個のロール部１１８は、同一部品であり、回転軸１０２Ａの軸方向の一端側及び他端側に各２個ずつ設けられている。内側に設けられた２個のロール部１１８はそれぞれ、従動ロール１０４の外側のロール部１１４と対向している。
【００５２】
ここで、幅方向中央部がロール部１１２から浮上る形状に湾曲したカット記録紙３４´は、ロール部１１２とロール部１１４とによる狭持を解除された後、湾曲状態に復元する際の弾性力でロール部１１２から跳ね上がろうとする。そして、カット記録紙３４´が、ロール部１１２から跳ね上がった場合には、カット記録紙３４´は幅方向両端縁部のみをロール部１１８に当接させて浮いた状態になるので、搬送状態が不安定になる。そこで、本実施形態では、ロール部１１８をロール部１１２よりも小径とし、ロール部１１２とロール部１１４とにより狭持されたカット記録紙３４´の状態を元の湾曲状態により近づけることで、ロール部１１２とロール部１１４とによる狭持を解除された後の、カット記録紙３４´の跳ね上がりを抑制している。これによって、カット記録紙３４´を安定して搬送できる。
【００５３】
また、ロール部１１８の軸方向の断面形状が鋸歯状とされ、ロール部１１８の表面に軸方向へ延びる段差部１１８Ａが形成されている。このため、図９に示すように、ロール部１１２とロール部１１４とによるカット記録紙３４´の幅方向中央部の狭持が解除された直後、カット記録紙３４の幅方向両端部の後端縁部が両側のロール部１１８の段差部１１８Ａに嵌り込む。これによって、駆動ロール１０２からカット記録紙３４´の幅方向両端部の後端部に作用する力が、段差部１１８Ａが無い場合と比較して大きくなるので、カット記録紙３４´の排出性が向上する。
【００５４】
ここで、ロール部１１８をロール部１１２よりも小径としたことで、ロール部１１８の周速がロール部１１２の周速よりも遅くなるので、カット記録紙３４´の後端縁部が段差部１１８Ａに嵌り込む際、カット記録紙３４´の後端部に局所的な曲げが生じ易いが、段差部１１８Ａにテーパを付けることで抑制している。
【００５５】
また、カット記録紙３４´の幅方向両端部の後端縁部が段差部１１８Ａに嵌り込む際、カット記録紙３４´の幅方向両端部の後端部がロール部１１８の周面に倣うので、カット記録紙３４´の幅方向両端部の後端部に局所的な折れが生じることを防止できる。
【００５６】
以上、説明したように、駆動ロール１０２の一対のロール部１１２をより軸方向の外側に、ロール部１１２よりも小径のロール部１１８を設けたことで、幅方向中央部がロール部１１２から浮上った形状に湾曲したカット記録紙３４´の後端縁部に搬送力を与えることができる。従って、湾曲した状態で搬送されるカット記録紙３４´を、プリンタプロセッサ１０からソータ５０へ確実に排出できる。
【図面の簡単な説明】
【００５７】
【図１】本発明の実施形態の排出ロールを備えるプリンタプロセッサの構成の概略を示す図である。
【図２】感光性記録紙の接合部を示す平面図および側面図である。
【図３】プリンタプロセッサに備えられたソータを示す斜視図である。
【図４】本発明の実施形態の排出ロールを示す斜視図である。
【図５】本発明の実施形態の排出ロールを示す正面図である。
【図６】本発明の実施形態の排出ロールを示す断面図である。
【図７】本発明の実施形態の排出ロールを示す斜視図である。
【図８】本発明の実施形態の排出ロールを示す正面図である。
【図９】本発明の実施形態の排出ロールを示す断面図である。
【符号の説明】
【００５８】
１０      プリンタプロセッサ（画像記録装置）
３４´    カット記録紙（記録媒体）
１００    排出ロール（記録媒体排出ロール）
１０２    駆動ロール
１０４    従動ロール
１１２    ロール部（第１ロール部）
１１２Ａ  溝
１１４    ロール部（第２ロール部）
１１８    ロール部（第３ロール部）
１１８Ａ  段差部
【図１】
2007126265.tif 000003
【図２】
2007126265.tif 000004
【図３】
2007126265.tif 000005
【図４】
2007126265.tif 000006
【図５】
2007126265.tif 000007
【図６】
2007126265.tif 000008
【図７】
2007126265.tif 000009
【図８】
2007126265.tif 000010
【図９】
2007126265.tif 000011